(57)【要約】【課題】床側に固定し難いような場合にも強固かつ安定的に固定可能で、折戸の戸板の下端に設けられた軸部を安定的に保持し、かつ、軸部を嵌め入れる際の作業性を向上し得る軸受具及びこの軸受具を備えた折戸装置を提供する。【解決手段】折り畳み自在に吊り下げ支持され開口３を開閉する折戸３０の該開口内側面４ａ側の戸板３４における開口内側面側端部の下端に設けられた軸部３６を受け入れ、当該戸板を前記軸部回りに回動自在に保持する軸受具１であって、前記開口内側面に固定される固定片部１１と該固定片部に連なるように設けられ床７に沿うように配設される取付片部１３とを有した固定部材１０と、前記軸部を受け入れる上面において開口した軸穴２２と該軸穴側から開口幅方向中央側に向けて下るように傾斜し、前記上面に連なる傾斜上面を有したガイド部２３とが設けられ、前記固定部材の取付片部に固定される軸受部材２０と、を備えている。【選択図】図１
2014077312.tif 000002
【特許請求の範囲】
【請求項１】
折り畳み自在に吊り下げ支持され開口を開閉する折戸の該開口内側面側の戸板における開口内側面側端部の下端に設けられた軸部を受け入れ、当該戸板を前記軸部回りに回動自在に保持する軸受具であって、
前記開口内側面に固定される固定片部と該固定片部に連なるように設けられ床に沿うように配設される取付片部とを有した固定部材と、
前記軸部を受け入れる上面において開口した軸穴と該軸穴側から開口幅方向中央側に向けて下るように傾斜し、前記上面に連なる傾斜上面を有したガイド部とが設けられ、前記固定部材の取付片部に固定される軸受部材と、
を備えていることを特徴とする軸受具。
【請求項２】
請求項１において、
前記軸受部材は、前記ガイド部に加えて、前記軸穴側から前記開口内側面側に向けて下るように傾斜し、前記上面に連なる傾斜上面を有した第２ガイド部をさらに設けた構造とされていることを特徴とする軸受具。
【請求項３】
請求項１または２において、
前記軸受部材は、前記固定部材の取付片部に対して開口幅方向に沿って位置調整自在に固定される構造とされていることを特徴とする軸受具。
【請求項４】
請求項１乃至３のいずれか１項において、
前記固定部材の固定片部には、前記開口内側面の見込み方向に沿って長径の長孔状の止具挿通孔が設けられていることを特徴とする軸受具。
【請求項５】
請求項１乃至４のいずれか１項に記載の軸受具と、下方側へ弾性的に付勢され、前記軸受具の軸穴に嵌め込まれる軸部を開口内側面側の戸板の開口内側面側端部の下端に設けた折戸と、を備えていることを特徴とする折戸装置。
【発明の詳細な説明】
【技術分野】
【０００１】
本発明は、折り畳み自在に吊り下げ支持される折戸の戸板の下端の軸部を保持する軸受具、及びこれを備えた折戸装置に関する。
【背景技術】
【０００２】
従来より、折戸の戸板の側端部の下端に設けられた軸部を受け入れて戸板を該軸部回りに回動自在に保持する構造とされた軸受部材が知られている。このような軸受部材は、一般的には、床等にねじや釘等の止具によって固定される。
ところで、このような軸受部材を、コンクリート仕上げやタイル仕上げ、カーペット仕上げとされた床や、コンクリート下地上に薄床材を貼着したような床等に固定する場合には、ねじや釘等の止具によって強固かつ安定的に固定し難くなることが考えられる。
例えば、下記特許文献１では、収納空間の入口枠の縦桟の下端に固定される軸受部材が提案されている。この軸受部材は、入口枠の縦桟の下端に固定される取付部と、この取付部に取り付けられる扉支持部と、を備えており、扉支持部に設けられた回動軸受としての丸孔に、扉の下側回転軸が嵌め込まれて、扉が下側回転軸回りに回動する構造とされている。
【先行技術文献】
【特許文献】
【０００３】
【特許文献１】特開２００８−２１０３号公報
【発明の概要】
【発明が解決しようとする課題】
【０００４】
ところで、このような軸受部材は、扉支持部の丸孔に扉の下側回転軸を安定的に保持させるために、ある程度の厚さ寸法とされている。しかしながら、このような場合には、扉を移動させて下側回転軸を丸孔に嵌め込む際に、扉の下側回転軸と扉支持部とが干渉し、扉の下側回転軸が扉支持部に引っ掛かり易くなり、更なる改善が望まれる。
【０００５】
本発明は、上記実情に鑑みてなされたものであり、床側に固定し難いような場合にも強固かつ安定的に固定可能で、折戸の戸板の下端に設けられた軸部を安定的に保持し、かつ、軸部を嵌め入れる際の作業性を向上し得る軸受具及びこの軸受具を備えた折戸装置を提供することを目的とする。
【課題を解決するための手段】
【０００６】
上記目的を達成するために、本発明に係る軸受具は、折り畳み自在に吊り下げ支持され開口を開閉する折戸の該開口内側面側の戸板における開口内側面側端部の下端に設けられた軸部を受け入れ、当該戸板を前記軸部回りに回動自在に保持する軸受具であって、前記開口内側面に固定される固定片部と該固定片部に連なるように設けられ床に沿うように配設される取付片部とを有した固定部材と、前記軸部を受け入れる上面において開口した軸穴と該軸穴側から開口幅方向中央側に向けて下るように傾斜し、前記上面に連なる傾斜上面を有したガイド部とが設けられ、前記固定部材の取付片部に固定される軸受部材と、を備えていることを特徴とする。
【０００７】
本発明においては、前記軸受部材は、前記ガイド部に加えて、前記軸穴側から前記開口内側面側に向けて下るように傾斜し、前記上面に連なる傾斜上面を有した第２ガイド部をさらに設けた構造とされていてもよい。
また、本発明においては、前記軸受部材は、前記固定部材の取付片部に対して開口幅方向に沿って位置調整自在に固定される構造とされていてもよい。
また、本発明においては、前記固定部材の固定片部には、前記開口内側面の見込み方向に沿って長径の長孔状の止具挿通孔が設けられていてもよい。
【０００８】
また、上記目的を達成するために、本発明に係る折戸装置は、本発明に係る軸受具と、下方側へ弾性的に付勢され、前記軸受具の軸穴に嵌め込まれる軸部を開口内側面側の戸板の開口内側面側端部の下端に設けた折戸と、を備えていることを特徴とする。
【発明の効果】
【０００９】
本発明に係る軸受具及び、これを備えた折戸装置は、上述のような構成としたことで、床側に固定し難いような場合にも強固かつ安定的に固定可能で、折戸の戸板の下端に設けられた軸部を安定的に保持し、かつ、軸部を嵌め入れる際の作業性を向上させることができる。
【図面の簡単な説明】
【００１０】
【図１】（ａ）は、本発明の一実施形態に係る軸受具及び同軸受具を備えた折戸装置の一例を模式的に示す一部破断概略斜視図、（ｂ）は、同軸受具の概略分解斜視図である。
【図２】（ａ）は、図１（ａ）におけるＸ−Ｘ線矢視に対応させた一部破断概略縦断面図、（ｂ）は、同軸受具の概略平面図である。
【図３】同折戸装置を施工した状態を模式的に示す一部破断概略横断面図である。
【発明を実施するための形態】
【００１１】
以下に本発明の実施の形態について、図面に基づいて説明する。
図１〜図３は、本実施形態に係る軸受具及びこれを備えた折戸装置の一例を模式的に示す図である。
なお、一部の図では、他図に付している詳細な符号の一部を省略している。
また、以下の各実施形態では、図３に示すＹ方向から折戸に対面した状態を基準として、手前側を前方、逆側を後方とし、その方向等を原則的に説明する。
【００１２】
本実施形態に係る軸受具１は、図１及び図３に示すように、折り畳み自在に吊り下げ支持され開口３を開閉する折戸３０の開口内側面４ａ側の戸板（固定側戸板）３４における開口内側面４ａ側端部の下端に設けられた軸部３６を受け入れる。
また、本実施形態に係る折戸装置２は、図３に示すように、本実施形態に係る軸受具１と、この軸受具１に保持される軸部３６を固定側戸板３４の内側面４ａ側端部の下端に設けた折戸３０と、を備えている。
また、本実施形態では、折戸装置２の折戸３０を、図３に示すように、住居等の建物の内壁６に設けられた開口部に配設された戸枠に建て付けた構造としている。また、本実施形態では、二組の折戸３０，３０を開口部の戸枠に配設した例を示している。
【００１３】
開口部は、正面視して略矩形状とされており、その上側が、横桟やまぐさ等の横架材または該横架材の下面側に固定された飼木（スペーサー材）等からなる上枠下地によって区画されている。また、開口部は、その開口幅（戸幅）方向両側が、間柱等の柱材または該柱材の開口幅方向内側に固定された飼木（スペーサー材）等からなる左右両側の縦枠下地によって区画されている。また、図例では、開口部の下側を、床７によって区画した例を示している（図２（ａ）参照）。
【００１４】
戸枠は、上枠５と、この上枠５の長手方向両側に配設される両側の縦枠４，４と、を備えており、いわゆる三方枠の構造とされている。また、この戸枠は、下枠や下レール等を備えておらず、各折戸３０，３０を吊り下げ支持する構造とされている。
本実施形態では、この戸枠の上枠５及び縦枠４，４を開口部に配設して、折戸３０，３０によって開閉される出入口としての開口３を形成している。つまり、本実施形態では、開口内側面を、縦枠４，４の対向する内側面４ａ，４ａとしている。また、この開口３の後方側の空間が、例えば、収納空間や隣室空間等とされる。
【００１５】
上枠５は、開口部の開口幅方向に沿って長尺の帯板状とされている。
また、この上枠５には、折戸３０を吊り下げ支持する上レール５ａが設けられている。このような上レール５ａとしては、上板部及び両側板部によって縦断面形状が、下方に向けて開口する略コ字状（略Ｕ字状または略Ｃ字状）とされたものとしてもよい。また、両側板部の下端縁部に、互いに向き合う方向に突出する案内片がそれぞれに設けられたものとしてもよい。また、これら両案内片によって、折戸３０のランナー部材のローラー等を当該上レール５ａの長手方向に沿って転動自在に支持することで、当該上レール５ａに対して折戸３０を吊下支持するものとしてもよい。
【００１６】
両側の縦枠４，４は、互いに略同様の構成とされている。これら両側の縦枠４，４は、開口３の開口高に応じた長さ寸法とされ、帯板状とされている。また、本実施形態では、これら縦枠４，４の前端部に互いに向き合う方向に突出する突片部をそれぞれに設けている。これら突片部によって、前方側から見た状態では、閉状態とされた折戸３０，３０の各固定側戸板３４，３４の縦枠４，４側の端部と縦枠４，４の内側面４ａ，４ａとの間の隙間が遮蔽される。
なお、これら両側の縦枠４，４と上枠５とは、例えば、上枠５の長手方向の各端面に、各縦枠４，４の上端部内側面を当接させ、各縦枠４，４の外側面側からねじや釘等の止具を上枠５にねじ込む（または打ち込む）ことで枠組みするようにしてもよい。
【００１７】
また、上枠５の上側に垂れ壁を設けるようにしてもよく、また、上枠５を天井に沿わせるように設けたり、天井に埋め込むように設けたりしてもよい。また、上枠５に上レール５ａを設けた態様に代えて、上レール５ａ自体を直接的に上枠下地等に固定するようにしてもよい。
また、縦枠４，４の形状は、上記した例に限られず、種々の形状とされたものとしてもよい。また、図例のように縦枠４，４の内側面４ａ，４ａによって開口３の両側の内側面を構成した態様に代えて、内壁６の壁面から一連状に貼着された壁クロス等の表面仕上材によって開口３の両側の内側面を構成する態様としてもよい。つまりは、開口３の両側を無枠状としてもよい。
【００１８】
折戸３０は、二枚の戸板３１，３４の連結側端部同士を、羽根蝶番等の蝶番３３によって折り畳み自在に連結した構成とされている。
また、折戸３０は、当該折戸３０の折り畳みを伴い、一方の戸板が、その反連結側端部の回動軸３２回りに回動しながら上レール５ａに沿って移動する可動側戸板３１とされ、他方の戸板が、その反連結側端部の回動軸３５回りに回動する固定側戸板３４とされている。
また、本実施形態では、開口３を開閉する二組の折戸３０，３０の開口幅方向中央側の各戸板を可動側戸板３１，３１とし、縦枠４，４側の各戸板を固定側戸板３４，３４としている。なお、これら二組の折戸３０，３０は、互いに略同様の構成とされているので、以下では、一組の折戸３０の構成について原則的に説明する。
【００１９】
折戸３０の可動側戸板３１は、その開口幅方向中央側端部（反連結側端部）の上端に、上レール５ａにスライド自在に支持されたランナー部材を連結した構造とされている。このランナー部材は、上記した回動軸３２回りに回動可能に可動側戸板３１に対して連結されている。なお、この可動側戸板３１の前面側に把手等を設けるようにしてもよい。
折戸３０の固定側戸板３４は、その開口内側面４ａ側端部（反連結側端部）の上端が回動軸３５回りに回動自在に上レール５ａに連結されている。この固定側戸板３４の開口内側面４ａ側端部の上端の上レール５ａへの連結態様としては、固定側戸板３４の開口内側面４ａ側端部の上端に、上レール５ａにスライド自在に支持されたランナー部材を連結し、このランナー部材をストッパーによって上レール５ａに固定した態様としてもよい。また、上記同様、このランナー部材を回動軸３５回りに回動可能に固定側戸板３４に対して連結した態様としてもよい。または、このような態様に代えて、固定側戸板３４の開口内側面４ａ側端部の上端に、回動軸３５と同軸状の回動軸を設け、上レール５ａに、この回動軸を回動自在に受け入れて保持する軸受部を設けたような態様としてもよい。
【００２０】
このように各戸板３１，３４の反連結側端部の上端が上レール５ａに吊り下げ支持され、当該折戸３０が上レール５ａに吊り下げ支持される構造とされている。
なお、折戸３０は、床７と折戸３０の下端面との間に所定のクリアランスを設けるように、上レール５ａに吊下支持される。
【００２１】
また、固定側戸板３４の開口内側面４ａ側端部の下端に設けられた軸部３６は、上記した回動軸３５と同軸状に設けられている。
この軸部３６は、略円柱形状とされている。また、本実施形態では、軸部３６の上端周縁部に鍔状部を設けた例を示している。
また、本実施形態では、この軸部３６を、下方側へ弾性的に付勢されたものとしている。本実施形態では、図２（ａ）に示すように、固定側戸板３４の開口内側面４ａ側端部の下端に下向きに開口する収容穴３９を設け、この収容穴３９内に設けた付勢部材３８によって、軸部３６を下方側に弾性的に付勢した例を示している。また、図例では、付勢部材３８を圧縮コイルバネ３８としている。また、本実施形態では、軸部３６の上端側に、収容穴３９に収容される基軸部３７を、軸部３６と同軸状に設けている。
この基軸部３７が収容穴３９内に収容された圧縮コイルバネ３８によって、下方側に弾性的に付勢され、当該軸部３６が下方側に弾性的に付勢されている。また、収容穴３９の開口縁等の適所には、固定側戸板３４の下端面に対して軸部３６が所定以上突出しないように規制するストッパー部が設けられている。
なお、軸部３６は、耐摩耗性や摺動性に比較的に優れた金属系材料や硬質の合成樹脂系材料から形成されたものとしてもよい。また、軸部３６や、この軸部３６を下方側へ弾性的に付勢する態様としては、上記した態様に限られず、種々の態様の採用が可能である。
【００２２】
軸受具１は、固定側戸板３４を軸部３６（回動軸３５）回りに回動自在に保持する構造とされている。
また、軸受具１は、開口内側面４ａに固定される固定部材１０と、固定側戸板３４の軸部３６を受け入れる軸穴２２を設けた軸受部材２０と、を備えている。
固定部材１０は、図１に示すように、開口内側面４ａに固定される固定片部１１と、固定片部１１に連なるように設けられ床７に沿うように配設される取付片部１３と、を備えている。また、固定部材１０は、固定片部１１と取付片部１３とによって、開口内側面４ａに固定された状態において開口内側面４ａ（縦枠４）の見込み方向に沿う方向（前後方向）に見て略Ｌ字状に形成されている。
固定部材１０は、固定片部１１が開口内側面４ａに固定され、取付片部１３が開口幅方向中央側に向けて突出するように床７に沿うように配設される。
固定片部１１及び取付片部１３は、それぞれ略矩形の薄平板状とされている。図例では、固定片部１１及び取付片部１３を、互いに略同寸同形状とした例を示している。
【００２３】
本実施形態では、固定片部１１に、図１及び図２に示すように、当該固定部材１０を開口内側面４ａに固定するねじや釘等の止具９が挿通される止具挿通孔１２を設けている。止具挿通孔１２は、固定片部１１の厚さ方向に貫通するように設けられている。
また、本実施形態では、この止具挿通孔１２を、開口内側面４ａの見込み方向（前後方向）に沿って長径の長孔状としている。
また、本実施形態では、固定片部１１に、複数（図例では二つ）の止具挿通孔１２，１２を、前後方向に沿って互いに間隔を空けて設けている。図例では、これら止具挿通孔１２，１２を、固定片部１１の上下方向の略中央部に設けた例を示している。
【００２４】
また、本実施形態では、取付片部１３に、図１（ｂ）及び図２に示すように、軸受部材２０を取付片部１３に固定するねじ等の止具８がねじ込まれる雌ねじ穴１４を設けている。図例では、雌ねじ穴１４を、取付片部１３の厚さ方向に貫通するように設けた例を示している。この雌ねじ穴１４の形成位置は、後記する軸受部材２０の後方側に設けられた固定部２６の取付片部１３に対する固定位置に応じた位置としてもよい。
また、本実施形態では、取付片部１３に、二つの雌ねじ穴１４，１４を、前後方向に沿って互いに間隔を空けて設けている。また、本実施形態では、雌ねじ穴１４，１４のそれぞれを、取付片部１３の前後方向両端縁のうちそれぞれの近傍側端縁からの間隔が互いに略等間隔となるように、取付片部１３に設けている。また、図例では、これら雌ねじ穴１４，１４を、取付片部１３の開口幅方向の略中央部に設けた例を示している。
上記のように、二つの雌ねじ穴１４，１４を、取付片部１３の前後方向に沿って互いに間隔を空けて設けた構成とすることで、開口幅方向両側のいずれの内側面４ａ，４ａに対しても、共通の固定部材１０を固定することができる。つまり、固定部材１０の固定片部１１を取付片部１３の開口幅方向両側のいずれか一方側に位置させて開口幅方向いずれか一方側の内側面４ａに固定することができる。また、その状態で、後記するように取付片部１３の後方側の雌ねじ穴１４に止具８をねじ込み、軸受部材２０を固定することができる。
【００２５】
なお、固定片部１１及び取付片部１３の厚さ寸法は、比較的に薄い厚さ寸法としてもよく、例えば、１ｍｍ〜３ｍｍ程度としてもよい。また、取付片部１３の厚さ寸法は、固定片部１１を開口内側面４ａに固定し、床７に沿うように配設された取付片部１３に軸受部材２０を固定した状態で、折戸３０の固定側戸板３４の下端が軸受部材２０と干渉しないように適宜の寸法としてもよい。
また、固定部材１０は、金属系材料から形成されたものとしてもよく、例えば、鋼板等の金属板に折り曲げや打ち抜き等の加工を施して上記形状とされたものでもよい。
また、固定部材１０は、見栄え等の観点から、その前端縁が、開口３を閉鎖した状態の折戸３０の各戸板３１，３４の前側面と前後方向において略同位置か、若干後方側に位置するように、開口内側面４ａに固定するようにしてもよい。
【００２６】
軸受部材２０には、軸部３６を受け入れる上面において開口した軸穴２２と、この軸穴２２側から開口幅方向中央側に向けて下るように傾斜し、上面に連なる傾斜上面を有したガイド部（第１ガイド部）２３と、が設けられている。また、軸受部材２０は、取付片部１３に固定される固定部２６を備えている。本実施形態では、軸穴２２を設けた軸受本体部２１の後方側に固定部２６を設けている。
また、本実施形態では、軸受部材２０に、図１及び図２に示すように、第１ガイド部２３に加えて、軸穴２２側から開口内側面４ａ側に向けて下るように傾斜し、上面に連なる傾斜上面を有した第２ガイド部２４をさらに設けている。つまり、本実施形態では、軸受部材２０の軸穴２２（軸受本体部２１）の開口幅方向両側のそれぞれに、開口幅方向外方側のそれぞれに向けて下るように傾斜した傾斜上面を有した第１ガイド部２３及び第２ガイド部２４を設けた構造としている。このような構造とすることで、開口幅方向両側のいずれの内側面４ａ，４ａ側に軸受部材２０を配設した場合にも、軸穴２２の後方側に固定部２６を配置した状態で、軸穴２２側から開口幅方向中央側に向けて下るように傾斜するガイド部２３（２４）が軸穴２２の開口幅方向中央側に配置されることとなる。
【００２７】
これら第１ガイド部２３及び第２ガイド部２４は、互いに概ね同様の構成とされており、本実施形態では、軸受部材２０に、これら第１ガイド部２３と第２ガイド部２４とを、軸穴２２の穴心を通る前後方向に沿う仮想線を対称軸として線対称状に設けた例を示している。
また、本実施形態では、図１（ａ）及び図２（ｂ）に示すように、これら第１ガイド部２３、軸受本体部２１、第２ガイド部２４及び固定部２６を含んだ軸受部材２０の全体が、固定部材１０の取付片部１３の上面側に配設されるものとしている。
また、本実施形態では、軸受部材２０は、図１及び図２に示すように、固定部材１０の取付片部１３に対して開口幅方向に沿って位置調整自在に固定される構造とされている。
また、軸受部材２０の上下寸法（厚さ寸法）は、上記した取付片部１３と略同様、折戸３０の固定側戸板３４の下端が軸受部材２０と干渉しないように適宜の寸法としてもよく、比較的に薄い上下寸法としてもよい。例えば、３ｍｍ〜２０ｍｍ程度としてもよい。
【００２８】
軸受本体部２１は、図１及び図２に示すように、平面視して略正方形状とされており、図例では、この軸受本体部２１の平面視における略中心に軸穴２２を設けた例を示ししている。
また、本実施形態では、軸穴２２を、軸受本体部２１の厚さ方向に貫通するように設けた例を示している。また、図例では、軸穴２２を平面視略円形状としている。
この軸穴２２は、固定側戸板３４の下端に設けられた軸部３６に応じた形状とされている。
なお、軸穴２２は、折戸３０の固定側戸板３４の下端の軸部３６を安定的に嵌め込み可能なように軸受本体部２１に設けるようにしてもよく、軸受本体部２１の厚さ方向に貫通するように軸穴２２を設けた態様に代えて、軸受本体部２１の上面側に上方に開口するように軸穴２２を設けた態様としてもよい。
【００２９】
第１ガイド部２３及び第２ガイド部２４は、本実施形態では、図２（ｂ）に示すように、それぞれ平面視して反軸穴２２側に向けて拡開する形状とされている。つまり、本実施形態では、第１ガイド部２３及び第２ガイド部２４のそれぞれの反軸穴２２側端部の前後方向に沿う寸法を、それぞれの軸穴２２側端部の前後方向に沿う寸法よりも大としている。
これら第１ガイド部２３及び第２ガイド部２４の傾斜上面は、それぞれの軸穴２２側端部から反軸穴２２側端部に向かうに従い下るように形成されており、また、軸受本体部２１の上面に連なるように形成されている。
これら第１ガイド部２３及び第２ガイド部２４の傾斜上面の傾斜角度は、固定側戸板３４の軸部３６の軸穴２２への嵌め込み性の観点等から、適宜の角度に設定するようにしてもよい。
また、軸受部材２０を取付片部１３に固定した状態で、第１ガイド部２３及び第２ガイド部２４の傾斜上面と取付片部１３の上面とが沿面状に連なるような態様としてもよい。
【００３０】
また、本実施形態では、図１及び図２に示すように、軸受部材２０の前後方向両縁に、軸穴２２に向けて移動する固定側戸板３４の軸部３６の脱落を規制する規制壁部２５，２５をそれぞれに設けている。これら規制壁部２５，２５は、図１（ａ）及び図２（ｂ）に示すように、軸受部材２０の第１ガイド部２３、軸受本体部２１及び第２ガイド部２４の上面の前後方向両端縁から立ち上がるように設けられている。つまり、これら規制壁部２５，２５は、平面視して、当該軸受部材２０の開口幅方向両側から軸穴２２側に向かうに従い先細り状に形成されている。また、図例では、これら規制壁部２５，２５の上下寸法を、反軸穴２２側に向かうに従い小さくなる寸法とした例を示している。
【００３１】
固定部２６は、図１に示すように、止具８によって固定部材１０の取付片部１３に固定される構造とされている。図例では、固定部２６を、平面視して略正方形状としている。
固定部２６には、止具８の挿通孔２７が設けられている。本実施形態では、単一の挿通孔２７を固定部２６に設けている。この挿通孔２７は、図２（ａ）に示すように、固定部２６の厚さ方向に貫通するように設けられている。また、本実施形態では、この挿通孔２７を開口幅方向に沿って長径の長孔状とし、当該軸受部材２０を固定部材１０の取付片部１３に対して開口幅方向に沿って位置調整自在に固定可能としている。
この固定部２６の挿通孔２７に止具８が挿通され、この止具８が固定部材１０の取付片部１３の雌ねじ穴１４，１４のうちの一方側（後方側）の雌ねじ穴１４にねじ込まれることによって、軸受部材２０が固定部材１０に固定される構造とされている。このように、止具８を取付片部１３の雌ねじ穴１４にねじ込む構造としているので、単一の挿通孔２７を固定部２６に設けた場合でも、軸受部材２０を、止具８回りに回転しないように強固に固定部材１０に固定することができる。
【００３２】
なお、軸受部材２０は、金属系材料等から上記形状に形成されたものとしてもよい。
また、軸受部材２０は、中実状に形成してもよく、または、中空状に形成してもよい。
また、折戸３０を上レール５ａに吊下支持させ、軸受具１を設置した状態で、固定側戸板３４の下端から最大限突出した軸部３６の下端面が、軸受部材２０の第１ガイド部２３の傾斜上面の反軸穴２２側端縁と略同高さか、これよりも上側位置となるように当該軸受具１及び折戸３０を設定するようにしてもよい。
【００３３】
上記構成とされた軸受具１の施工態様としては、図１（ｂ）に示すように、まず、止具８を軸受部材２０の固定部２６の挿通孔２７に挿通し、固定部材１０の取付片部１３の雌ねじ穴１４にねじ込んで、軸受部材２０を固定部材１０に固定する。
また、このように軸受部材２０が固定された固定部材１０の取付片部１３を床２に沿わせ、固定部材１０の固定片部１１の止具挿通孔１２に止具９を挿通し、開口内側面４ａに固定して、当該軸受具１を開口内側面４ａに固定する（図２（ａ）参照）。
また、この際、軸受具１の軸受部材２０の軸穴２２が、建て付けられた状態の折戸３０の固定側戸板３４の回動軸３５（軸部３６）の直下に位置するように、位置付け、固定するようにしてもよい。また、この際、建て付けられた状態の折戸３０の固定側戸板３４の回動軸３５の見込み方向に沿う位置に軸穴２２を位置させるように、開口内側面４ａに対して固定部材１０を固定片部１１の止具挿通孔１２の長径方向に沿って位置調整し、固定するようにしてもよい。また、この際、建て付けられた状態の折戸３０の固定側戸板３４の回動軸３５の開口幅方向に沿う位置に軸穴２２を位置させるように、固定部材１０の取付片部１３に対して軸受部材２０を固定部２６の挿通孔２７の長径方向に沿って位置調整し、固定するようにしてもよい。
また、本実施形態では、図３に示すように、開口幅方向両側の各開口内側面４ａ，４ａのそれぞれに同様の構成とされた軸受具１，１を固定した例を示している。
【００３４】
また、上記構成とされた折戸３０の施工態様としては、上記のように戸枠や軸受具１等を施工した後に、戸枠に建て付けるようにしてもよい。例えば、各戸板３１，３４の上端に、上レール５ａに保持させたランナー部材等をそれぞれ連結し、建て付けるようにしてもよい。そして、上レール５ａに吊り下げ支持されたこれら各戸板３１，３４を、上レール５ａに沿って移動させ、固定側戸板３４の開口内側面４ａ側端部を開口内側面４ａ近傍に位置させ、その下端の軸部３６を、軸受具１の軸穴２２に嵌め入れるようにしてもよい。また、適宜、固定側戸板３４の上端側をストッパー等によって上レール５ａに固定するようにしてもよい。
【００３５】
本実施形態に係る軸受具１は、上述のような構成としたことで、床７側に固定し難いような場合にも強固かつ安定的に固定可能で、折戸３０の戸板（固定側戸板）３４の下端に設けられた軸部３６を安定的に保持し、かつ、軸部３６を嵌め入れる際の作業性を向上させることができる。
つまり、当該軸受具１は、開口内側面４ａに固定される固定片部１１と、この固定片部１１に連なるように設けられ床７に沿うように配設され、固定側戸板３４の軸部３６を受け入れる軸穴２２を設けた軸受部材２０が固定される取付片部１３と、を有した固定部材１０を備えている。従って、コンクリート仕上げやタイル仕上げ、カーペット仕上げとされた床や、コンクリート下地上に薄床材を貼着したような床等に軸受部材２０を固定する場合にも、軸受部材２０を、固定部材１０を介して開口内側面４ａに安定的に固定することができる。
【００３６】
また、軸受部材２０に、軸穴２２側から開口幅方向中央側に向けて下るように傾斜し、軸穴２２が設けられた上面に連なる傾斜上面を有した第１ガイド部（ガイド部）２３を設けている。従って、軸受部材２０の傾斜上面の開口幅方向中央側縁が、軸受部材２０の軸穴２２近傍の上面よりも低くなる。これにより、固定側戸板３４の軸部３６を軸受部材２０の軸穴２２に向けて移動させる際に、固定側戸板３４の軸部３６が軸受部材２０に引っ掛かり難くなる。また、この固定側戸板３４の軸部３６を、軸受部材２０のガイド部２３の傾斜上面に沿わせながら、軸受部材２０の軸穴２２に嵌め入れることができ、固定側戸板３４の軸部３６を軸受部材２０の軸穴２２に嵌め入れる際の作業性を向上させることができる。
また、軸受部材２０の傾斜上面の開口幅方向中央側縁を低くしながらも、この傾斜上面に連なる上面に軸穴２２を設けているので、軸穴２２を効率的に深くすることもでき、固定側戸板３４の軸部３６を軸受部材２０に安定的に保持させることができる。
【００３７】
また、本実施形態では、軸受部材２０に、軸穴２２側から開口幅方向中央側に向けて下るように傾斜する傾斜上面を有した第１ガイド部２３に加えて、軸穴２２側から開口内側面４ａ側に向けて下るように傾斜する傾斜上面を有した第２ガイド部２４をさらに設けた構造としている。従って、上述のように、開口幅方向両側のいずれの開口内側面４ａ，４ａ側にも、共通の軸受部材２０を配設することができ、部品点数を少なくすることができる。
【００３８】
また、本実施形態では、軸受部材２０を、取付片部１３に対して開口幅方向に沿って位置調整自在に固定される構造としているので、固定部材１０の取付片部１３に対する軸受部材２０の固定位置を、開口幅方向に沿って調整することができる。これにより、折戸３０等に開口幅方向に沿う建て付け誤差等があるような場合にも、固定側戸板３４の軸部３６を安定的に軸受部材２０の軸穴２２に嵌め入れることができ、固定側戸板３４の軸部３６をより安定的に保持させることができる。
【００３９】
また、本実施形態では、固定部材１０の固定片部１１に、開口内側面４ａの見込み方向に沿って長径の長孔状の止具挿通孔１２を設けている。従って、開口内側面４ａに対する固定部材１０の固定片部１１の固定位置を、開口内側面４ａの見込み方向に沿って調整することができる。これにより、折戸３０等に見込み方向に沿う建て付け誤差等があるような場合にも、固定側戸板３４の軸部３６を安定的に軸受部材２０の軸穴２２に嵌め入れることができ、固定側戸板３４の軸部３６をより安定的に保持させることができる。
【００４０】
また、本実施形態では、軸受部材２０の前後方向両縁に、規制壁部２５，２５を設けている。従って、固定側戸板３４の軸部３６を軸受部材２０の軸穴２２に向けて移動させる際に、軸部３６が軸受部材２０の上面（ガイド部２３（２４）の傾斜上面や軸受本体部２１の上面）からずれ落ちるようなことを規制することができる。これにより、固定側戸板３４の軸部３６を軸受部材２０の軸穴２２にスムーズに嵌め入れることができ、軸部３６を軸穴２２に嵌め入れる際の作業性をより向上させることができる。
【００４１】
また、本実施形態に係る折戸装置２は、本実施形態に係る軸受具１と、この軸受具１の軸穴２２に嵌め込まれ、下方側へ弾性的に付勢された軸部３６を固定側戸板３４の内側面４ａ側端部の下端に設けた折戸３０と、を備えている。従って、折戸３０を建て付ける際には、折戸３０を上レール５ａに吊り下げ支持させた状態で、固定側戸板３４の下端の軸部３６を、開口幅方向中央側から軸受具１に向けて移動させて軸受部材２０の軸穴２２にスムーズかつ容易に嵌め入れることができる。つまり、下方側へ付勢された軸部３６が、軸受部材２０のガイド部２３（２４）の傾斜上面に沿ってガイドされて付勢力に抗して上方に移動し、軸穴２２に至れば、下方側に付勢されて軸穴２２に嵌め入れられることとなる。
【００４２】
なお、本実施形態では、折戸３０の固定側戸板３４の内側面４ａ側端部の下端に設けられた軸部３６を、下方側へ弾性的に付勢させた例を示しているが、この態様に限られず、折戸３０の軸部３６を、固定側戸板３４の内側面４ａ側端部の下端に固定的に設けるようにしてもよい。
また、本実施形態では、二組の折戸３０，３０を配設した例を示しているが、一組の折戸３０を配設した態様としてもよい。この場合は、開口幅方向両側の開口内側面４ａ，４ａのいずれか一方のみに軸受具１を固定するようにしてもよい。
また、本実施形態では、固定部材１０の固定片部１１に、開口内側面４ａの見込み方向に沿って長径の長孔状の二つの止具挿通孔１２，１２を設けた例を示しているが、単一の止具挿通孔１２を固定片部１１に設けた態様としてもよい。また、長孔状の止具挿通孔１２に代えて、丸孔状とされた止具挿通孔１２を固定片部１１に設けるようにしてもよい。
【００４３】
また、本実施形態では、軸受部材２０を固定部材１０の取付片部１３に固定した状態で、軸受部材２０の全体が、取付片部１３の上面側に配設されるものとした例を示しているが、このような態様に限られない。例えば、軸受部材２０の第１ガイド部２３、軸受本体部２１、固定部２６及び第２ガイド部２４を薄板状とし、軸受本体部２１及び固定部２６の下方側に取付片部１３を受け入れる空隙が床７との間に生じるような形状としてもよい。つまり、軸受部材２０が取付片部１３に固定された状態で、第１ガイド部２３及び第２ガイド部２４の反軸穴２２側端縁が床７に当接するような形状としてもよい。
また、本実施形態では、軸受部材２０に、第１ガイド部２３に加えて、第２ガイド部２４を設けた例を示しているが、この態様に限られず、軸受部材２０に第２ガイド部２４を設けないようにしてもよい。この場合は、開口幅方向両側の開口内側面４ａ，４ａのそれぞれに配設される軸受部材２０，２０を、それぞれ専用のものとしてもよい。
【００４４】
また、本実施形態では、固定部材１０の取付片部１３に、前後方向に沿って互いに間隔を空けて二つの雌ねじ穴１４，１４を設けた例を示しているが、この態様に限られない。取付片部１３に、軸受部材２０の固定部２６に応じた位置に単一の雌ねじ穴１４を設けた態様としてもよい。この場合は、開口幅方向両側の開口内側面４ａ，４ａのそれぞれに配設される固定部材１０，１０を、それぞれ専用のものとしてもよい。
また、本実施形態では、固定部材１０の固定部２６に単一の挿通孔２７を設けた例を示しているが、この態様に限られない。複数の挿通孔２７を固定部材１０の固定部２６に設け、これら複数の挿通孔２７に応じた雌ねじ穴１４を取付片部１３に設けるようにしてもよい。
また、本実施形態では、軸受部材２０を、固定部材１０の取付片部１３に対して開口幅方向に沿って位置調整自在に固定される構造とし、軸受部材２０の固定部２６に、開口幅方向に沿って長径の長孔状とされた挿通孔２７を設けた例を示しているが、この態様に限定されない。丸孔状とされた挿通孔２７を軸受部材２０の固定部２６に設けるようにしてもよい。
【符号の説明】
【００４５】
１                軸受具
２                折戸装置
３                開口
４ａ              開口内側面
７                床
１０              固定部材
１１              固定片部
１２              止具挿通孔
１３              取付片部
２０              軸受部材
２２              軸穴
２３              第１ガイド部（ガイド部）
２４              第２ガイド部
３０              折戸
３４              固定側戸板（開口内側面側の戸板）
３６              軸部
【図１】
2014077312.tif 000003
【図２】
2014077312.tif 000004
【図３】
2014077312.tif 000005